(57)【要約】【課題】データを容易に取得できるとともに、コストアップを抑え且つ設置の自由度を向上させた他動運動機器およびそれを用いたネットワークシステムを提供する。【解決手段】他動運動機器１は、例えば使用者に乗馬を模した運動負荷を与える揺動型の運動機器であって、マイクロコンピュータからなる制御部１０と、運動データを保存するための運動データ記憶部１１と、液晶ディスプレイからなる表示部１２と、使用者が着座する着座部を揺動させるための駆動部１７と、他動運動機器１を操作するための操作部１８と、現在時刻や運動時間などを計時するための計時部１９とを備える。制御部１０は、使用者が行った運動内容を示す運動データを出力する運動データ出力部１３と、運動データ出力部１３から出力された運動データをＱＲコードに変換するコード変換部１４とを有し、コード変換部１４により変換されたＱＲコードが表示部１２に表示される。【選択図】図１
2009112526.tif 000002
【特許請求の範囲】
【請求項１】
使用者が行った運動内容を示す運動データを出力する運動データ出力部と、当該運動データ出力部から出力された運動データをバーコード化するコード変換部と、当該コード変換部により変換されたバーコード画像を表示する表示部とを備えたことを特徴とする他動運動機器。
【請求項２】
前記運動データの履歴を保存するための運動データ記憶部を備え、前記コード変換部は、当該運動データ記憶部に保存された前記運動データを読み出すとともに、読み出した運動データをバーコード化し、当該コード変換部により変換されたバーコード画像を前記表示部に表示可能としたことを特徴とする請求項１記載の他動運動機器。
【請求項３】
請求項１又は２の何れか１項に記載の他動運動機器と、前記表示部に表示された前記バーコード画像を読み取り当該バーコード画像を前記運動データに変換する読取装置と、当該読取装置からネットワークを介して送信された前記運動データを蓄積するサーバとを備えたことを特徴とするネットワークシステム。
【請求項４】
測定対象者の身体データを計測する身体データ計測部、当該身体データ計測部により計測した身体データをバーコード化するコード変換部および当該コード変換部により変換されたバーコード画像を表示する表示部を有する身体測定装置をさらに備え、前記読取装置は、前記身体測定装置の表示部に表示された前記バーコード画像を読み取るとともに当該バーコード画像を前記身体データに変換し、前記サーバは、前記読取装置からネットワークを介して送信された前記身体データを蓄積することを特徴とする請求項３記載のネットワークシステム。
【発明の詳細な説明】
【技術分野】
【０００１】
本発明は、他動運動機器およびそれを用いたネットワークシステムに関するものである。
【背景技術】
【０００２】
従来より、使用者に対して他動的な運動を行わせることによって、健康の増進を図る他動運動機器が提供されている（例えば特許文献１参照）。この他動運動機器は、使用者に乗馬を模した運動負荷を付与する揺動型の運動機器であって、馬の背や鞍を模した形状で使用者が着座する着座部と、着座部内に設けられ着座部を揺動させる揺動機構を構成する駆動装置と、上記着座部および駆動装置を支持する脚部とを備えており、使用者に与える運動負荷を変化させることによって、身体の特定部位に選択的に運動効果が得られるものである。
【特許文献１】特開２００７−２１２３１号公報（段落［００１４］、及び、第１図、第６図）
【発明の開示】
【発明が解決しようとする課題】
【０００３】
上述した他動運動機器を用いた運動内容を一元的に管理したいという要望があるが、この他動運動機器は、例えばサーバなどの他機器とネットワーク通信するための機能を備えていないため、通信装置や装置間を接続するためのケーブルなどが別途必要になり、コストアップになるとともに通信装置の設置場所やケーブル長により他動運動機器の設置場所が制約されるという問題があった。
【０００４】
本発明は上記問題点に鑑みて為されたものであり、その目的とするところは、データを容易に取得できるとともに、コストアップを抑え且つ設置の自由度を向上させた他動運動機器およびそれを用いたネットワークシステムを提供することにある。
【課題を解決するための手段】
【０００５】
請求項１の発明は、使用者が行った運動内容を示す運動データを出力する運動データ出力部と、当該運動データ出力部から出力された運動データをバーコード化するコード変換部と、当該コード変換部により変換されたバーコード画像を表示する表示部とを備えたことを特徴とする。ここに、バーコード情報とは、一次元のバーコードや二次元コードを含めたコード情報をいう。
【０００６】
請求項２の発明は、運動データの履歴を保存するための運動データ記憶部を備え、コード変換部は、当該運動データ記憶部に保存された運動データを読み出すとともに、読み出した運動データをバーコード化し、当該コード変換部により変換されたバーコード画像を表示部に表示可能としたことを特徴とする。
【０００７】
請求項３の発明は、請求項１又は２の何れか１項に記載の他動運動機器と、表示部に表示されたバーコード画像を読み取り当該バーコード画像を運動データに変換する読取装置と、当該読取装置からネットワークを介して送信された運動データを蓄積するサーバとを備えたことを特徴とする。
【０００８】
請求項４の発明は、測定対象者の身体データを計測する身体データ計測部、当該身体データ計測部により計測した身体データをバーコード化するコード変換部および当該コード変換部により変換されたバーコード画像を表示する表示部を有する身体測定装置をさらに備え、読取装置は、身体測定装置の表示部に表示されたバーコード画像を読み取るとともに当該バーコード画像を身体データに変換し、サーバは、読取装置からネットワークを介して送信された身体データを蓄積することを特徴とする。
【発明の効果】
【０００９】
請求項１の発明によれば、運動データ出力部から出力された運動データを、表示部にバーコードとして表示しているので、バーコード読取装置によりバーコードを読み取ることで運動データを容易に取得することができ、しかも他動運動機器とバーコード読取装置との間をネットワークを介して接続する必要がないので、他動運動機器にネットワーク通信のための回路を設ける必要がなく、且つ、通信装置やケーブルが不要であり、コストアップを抑えることができるという効果がある。さらに、通信装置の設置場所やケーブル長により他動運動機器の設置場所が制約されないという効果もある。
【００１０】
請求項２の発明によれば、運動データ記憶部に保存した過去の運動データについても表示部にバーコードとして表示できるようになっているので、バーコード読取装置によりバーコードを読み取ることで過去の運動データを容易に取得することができるという効果がある。
【００１１】
請求項３の発明によれば、請求項１又は２の何れか１項に記載の他動運動機器を用いることによって、運動データを容易に取得でき、且つ、コストアップを抑えたネットワークシステムを提供することができるという効果がある。
【００１２】
請求項４の発明によれば、他動運動機器の運動データはもちろんのこと、身体測定装置の身体データも容易に取得できるネットワークシステムを提供することができるという効果がある。
【発明を実施するための最良の形態】
【００１３】
（第１の実施形態）
第１の実施形態を図１〜図５に基づいて説明する。本実施形態の他動運動機器１は、例えば使用者に乗馬を模した運動負荷を与える揺動型の運動機器であって、健康の増進を図るために使用するものである。
【００１４】
まず、本実施形態の他動運動機器１について図１及び図２に基づいて説明する。この他動運動機器１は、図２に示すように馬の背や鞍を模した形状に形成され使用者が着座するための着座部１６と、着座部１６内に設けられ着座部１６を揺動するための揺動機構を構成する駆動部１７（図１参照）と、着座部１６及び駆動部１７を支持する脚部１５とを備えている。また、着座部１６の前面側（図２中の左側）には液晶ディスプレイからなる表示部１２が設けられており、この表示部１２には使用者が行った運動内容を示す運動データ（例えば、運動時間や消費エネルギーや運動条件など）が表示されるようになっている。
【００１５】
図１は本実施形態の他動運動機器１の構成を示すブロック図であり、マイクロコンピュータからなる制御部１０と、上記の運動データを保存するための運動データ記憶部１１と、上記の運動データなどを表示するための表示部１２と、着座部１６を揺動させる駆動部１７と、他動運動機器１の運動内容を設定したり、他動運動機器１を起動又は停止するための複数のスイッチ（図示せず）で構成された操作部１８と、現在時刻や運動時間などを計時するための計時部１９とを備えている。本実施形態の他動運動機器１では、使用者が操作部１８の各スイッチを操作して運動内容を設定し、スタート操作を行うと、制御部１０が設定された運動内容に基づいて駆動部１７を制御するとともに、計時部１９に運動時間を計時させるように構成されている。
【００１６】
また、制御部１０は、上記の運動データを出力するための運動データ出力部１３と、運動データ出力部１３から出力した運動データを、例えばＱＲ（Ｑｕｉｃｋ  Ｒｅｓｐｏｎｓｅ）コード（登録商標）のような二次元コードに変換するコード変換部１４とを有し、コード変換部１４で変換したＱＲコード（登録商標）を表示部１２に表示させるとともに、運動データをＱＲコード（登録商標）に変換する前のデータ形式で運動データ記憶部１１に保存させるように構成されている。さらに、本実施形態の他動運動機器１では、操作部１８のスイッチを操作することで、制御部１０が運動データ記憶部１１に保存した過去の運動データを読み出し、コード変換部１４によりＱＲコード（登録商標）に変換して表示部１２にＱＲコード（登録商標）を表示できるようになっている。ここに、ＱＲコード（登録商標）とは、マトリックス型二次元コードの一種であり、白と黒の格子状のパターンにより情報を表すことができるものである。このＱＲコード（登録商標）は、バーコードが横方向にしか情報を持たないのに対して、縦横に情報を持つものであり、格納できる情報量が多いという長所を有する。
【００１７】
次に、他動運動機器１の動作について説明する。まず、使用者が操作部１８の各スイッチを操作して運動内容を設定し、スタート操作を行うと、制御部１０は、設定された運動内容に基づいて駆動部１７を制御して使用者に他動的な運動を行わせるとともに、計時部１９に運動時間を計時させる。その後、設定された運動内容が終了するか、使用者が操作部１８のスイッチによりストップ操作を行うと、制御部１０は、運動時間や消費エネルギーや運動条件などの運動データを運動データ出力部１３から出力し、コード変換部１４により運動データをＱＲコード（登録商標）に変換するとともに、この運動データをＱＲコード（登録商標）に変換される前のデータ形式で運動データ記憶部１１に保存させる。そして、制御部１０は、コード変換部１４で変換されたＱＲコード（登録商標）を表示部１２に一定時間表示させる。
【００１８】
続けて、本実施形態の他動運動機器１を用いたネットワークシステムについて図３〜図５に基づいて説明する。本実施形態のネットワークシステムは、図５に示すように上述した他動運動機器１と、他動運動機器１の表示部１２に表示されたＱＲコード（登録商標）を読み取るとともに、読み取ったＱＲコード（登録商標）を上記の運動データに変換する携帯電話２（読取装置）と、携帯電話２からインターネット７（ネットワーク）を介して送信された運動データを蓄積するサーバ３とを備えている。
【００１９】
携帯電話２は、図３に示すように、マイクロコンピュータからなる制御部２０と、他動運動機器１の表示部１２に表示されたＱＲコード（登録商標）を撮像するカメラ２５と、カメラ２５で撮像したＱＲコード（登録商標）を読み取るためのコード読取部２１と、携帯電話用通信網の基地局６との間で無線通信を行うための無線通信部２３と、携帯電話２を操作するための操作部２４とを備えている。
【００２０】
また、制御部２０は、コード読取部２１により読み取ったＱＲコード（登録商標）を運動データに変換するためのデータ変換部２２を有しており、データ変換部２２で変換された運動データを、無線通信部２３を介して基地局６に送信できるようになっている（図５参照）。そして、基地局６に受信された運動データは、図５に示すように、インターネット７を介してサーバ３に送信されるようになっている。ここにおいて、携帯電話２には、ＱＲコード（登録商標）を読み取るためのプログラムが格納されており、操作部２４を操作してこの読取プログラムを実行させるとカメラ２５が起動し、さらにカメラ２５の画面内にＱＲコード（登録商標）を収めた状態で操作部２４を用いて読み取り操作を行うと、ＱＲコード（登録商標）がコード読取部２１に読み取られるようになっている。
【００２１】
一方、サーバ３は、図４に示すように、マイクロコンピュータからなる制御部３０と、携帯電話２から送信された運動データを蓄積するためのデータ記憶部３１と、基地局６や後述するパソコン５又は携帯電話２’とのネットワーク通信を行うための通信部３５とを備えており、サーバ３と、基地局６やパソコン５や携帯電話２’との間はインターネット７を介して接続されている。
【００２２】
また、制御部３０は、携帯電話２から送信された運動データを通信部３５を介して受信するデータ受信部３２と、データ記憶部３１に蓄積された過去の運動データを読み出して、例えばグラフ作成などを行うデータ処理部３３と、グラフ化した運動データを通信部３５を介してパソコン５や携帯電話２’に送信するためのデータ送信部３４とを有しており、データ送信部３４から送信された運動データは、通信部３５によりインターネット７を介してパソコン５又は携帯電話２’に送信され、パソコン５の表示部５０や携帯電話２’の表示部２６’に運動データのグラフが表示されるようになっている。
【００２３】
ここで、本実施形態の他動運動機器１を用いたネットワークシステムの動作について図５に基づいて説明する。携帯電話２の操作部２４を操作して上記読取プログラムを実行させると、カメラ２５が起動される。さらに、カメラ２５の画面内に他動運動機器１の表示部１２に表示されたＱＲコード（登録商標）を収めた状態で操作部２４を用いて読み取り操作を行うと、ＱＲコード（登録商標）がコード読取部２１に読み取られ、制御部２０は、読み取ったＱＲコード（登録商標）をデータ変換部２２により運動データに変換させる。次に、制御部２０は、データ変換部２２で変換した運動データを、無線通信部２３を介して基地局６に送信し、基地局６では、インターネット７を介して運動データをサーバ３に送信する。サーバ３では、通信部３５を介してデータ受信部３２が運動データを受信すると、制御部３０は、データ記憶部３１に運動データを蓄積させる。ここにおいて、パソコン５や携帯電話２’から運動データのグラフ作成要求があると、制御部３０は、データ記憶部３１から過去の運動データを読み出し、読み出した運動データを元にデータ処理部３３によりグラフ化し、作成したグラフデータをデータ送信部３４から送信する。データ送信部３４から送信されたグラフデータは、通信部３５によりインターネット７を介してパソコン５や携帯電話２’に送信され、パソコン５の表示部５０や携帯電話２’の表示部２６’に運動データのグラフが表示される。
【００２４】
本実施形態の他動運動機器１では、運動データ出力部１３から出力された運動データを、表示部１２にＱＲコード（登録商標）として表示しているので、携帯電話２によりＱＲコード（登録商標）を読み取ることで運動データを容易に取得することができ、しかも他動運動機器１と携帯電話２との間をネットワークを介して接続する必要がないので、他動運動機器１にネットワーク通信のための回路を設ける必要がなく、且つ、通信装置やケーブルが不要であり、コストアップを抑えることができる。さらに、通信装置の設置場所やケーブル長により他動運動機器１の設置場所が制約されないという利点もある。
【００２５】
また、運動データ記憶部１１に保存した過去の運動データについても表示部１２にＱＲコード（登録商標）として表示できるようになっているので、携帯電話２によりＱＲコード（登録商標）を読み取ることで過去の運動データを容易に取得することができる。さらに、本実施形態の他動運動機器１を用いることによって、運動データを容易に取得でき、且つ、コストアップを抑えたネットワークシステムを提供することができる。
【００２６】
尚、本実施形態では、他動運動機器として使用者に乗馬を模した運動負荷を与える揺動型の他動運動機器１を例に説明したが、他動運動機器は本実施形態に限定されるものではなく、使用者に他動的な運動を行わせるものであればよい。
【００２７】
また、本実施形態の他動運動機器１では、表示部１２に運動データとＱＲコード（登録商標）の両方を表示させる場合を例に説明したが、ＱＲコード（登録商標）のみを表示するように構成してもよい。
【００２８】
（第２の実施形態）
第２の実施形態を図３〜図７に基づいて説明する。第１の実施形態では、他動運動機器１及び他動運動機器１を用いたネットワークシステムについて説明したが、本実施形態では、他動運動機器１とともに身体測定装置４も備えており、それ以外の構成は第１の実施形態と同様であり、同一の構成要素には同一の符号を付して説明は省略する。また、他動運動機器１についても第１の実施形態で説明しているため、本実施形態では説明を省略する。
【００２９】
本実施形態の身体測定装置４は例えば血圧測定器であって、健康を管理するために用いられる。
【００３０】
この身体測定装置４は、図７に示すように、箱状の本体部４７と、測定対象者の腕を圧迫するとともに血圧を測定するための身体データ計測部（カフ）４３とを備えており、本体部４７の前面の上部には液晶ディスプレイからなる表示部４２が設けられ、この表示部４２には例えば測定対象者の最高血圧値及び最低血圧値などの身体データが表示されるようになっている。また、表示部４２の下部には複数（図７では３個）のスイッチで構成された操作部４５が設けられている。本実施形態の身体測定装置４は、身体データ計測部４３を加圧するとともに、加圧後徐々に降圧し、上腕部の血流成分による圧力振動の変化を圧力検出器（図示せず）により検出することによって、最高血圧値及び最低血圧値を測定するものであって、従来周知のものを採用しており、詳細については説明を省略する。
【００３１】
図６は本実施形態の身体測定装置４の構成を示すブロック図であり、マイクロコンピュータからなる制御部４０と、身体データを保存するための身体データ記憶部４１と、上記の身体データなどを表示するための表示部４２と、身体データを計測するための身体データ計測部（カフ）４３と、身体測定装置４を操作するための操作部４５と、現在時刻などを計時するための計時部４６とを備えている。
【００３２】
また、制御部４０は、身体データ計測部４３で計測した身体データを、例えばＱＲコード（登録商標）のような二次元コードに変換するコード変換部４４を有し、コード変換部４４で変換したＱＲコード（登録商標）を表示部４２に表示させるとともに、この身体データをＱＲコード（登録商標）に変換する前のデータ形式で身体データ記憶部４１に保存させる。さらに、本実施形態の身体測定装置４では、操作部４５のスイッチを操作することで、制御部４０が身体データ記憶部４１に保存した過去の身体データを読み出し、コード変換部４４によりＱＲコード（登録商標）に変換して表示部４２にＱＲコード（登録商標）を表示できるようになっている。
【００３３】
次に、身体測定装置４の動作について説明する。まず、使用者が上腕部に身体データ計測部（カフ）４３を取付けた状態で操作部４５を用いてスタート操作を行うと、身体データ計測部４３が加圧され、加圧後徐々に降圧しながら最高血圧値及び最低血圧値（身体データ）の測定が行われる。その後、測定が終了すると、制御部４０は、身体データ計測部４３で計測した身体データを、コード変換部４４によりＱＲコード（登録商標）に変換するとともに、この身体データをＱＲコード（登録商標）に変換される前のデータ形式で身体データ記憶部４１に保存させる。そして、制御部１０は、コード変換部４４で変換されたＱＲコード（登録商標）を表示部４２に一定時間表示させる。
【００３４】
続けて、本実施形態の身体測定装置４を用いたネットワークシステムの動作について図５に基づいて説明する。携帯電話２の操作部２４を操作して読取プログラムを実行させると、カメラ２５が起動される。さらに、カメラ２５の画面内に身体測定装置４の表示部４２に表示されたＱＲコード（登録商標）を収めた状態で操作部２４を用いて読み取り操作を行うと、ＱＲコード（登録商標）がコード読取部２１に読み取られ、制御部２０は、読み取ったＱＲコード（登録商標）をデータ変換部２２により身体データに変換させる。次に、制御部２０は、データ変換部２２で変換した身体データを、無線通信部２３を介して基地局６に送信し、基地局６では、インターネット７を介して身体データをサーバ３に送信する。サーバ３では、通信部３５を介してデータ受信部３２が身体データを受信すると、制御部３０は、データ記憶部３１に身体データを蓄積させる。ここにおいて、パソコン５や携帯電話２’から身体データのグラフ作成要求があると、制御部３０は、データ記憶部３１から過去の身体データを読み出し、読み出した身体データを元にデータ処理部３３によりグラフ化し、作成したグラフデータをデータ送信部３４から送信する。データ送信部３４から送信されたグラフデータは、通信部３５によりインターネット７を介してパソコン５や携帯電話２’に送信され、パソコン５の表示部５０や携帯電話２’の表示部２６’に身体データのグラフが表示される。
【００３５】
本実施形態のネットワークシステムによれば、第１の実施形態と同様に他動運動機器１を用いることによって運動データを容易に取得できるのはもちろんのこと、身体測定装置４を用いることによって身体データも容易に取得できるネットワークシステムを提供することができる。
【００３６】
尚、本実施形態では、身体測定装置４として血圧測定器を例に説明したが、身体測定装置４は本実施形態に限定されるものではなく、他動運動機器１と一緒に使用されるものであればよい。したがって、例えば体重や体脂肪などのように他動運動機器１による運動成果を示す身体データを測定する測定装置などであってもよい。
【００３７】
また、第１及び第２の実施形態では、携帯電話２’にグラフデータを表示させる場合を例に説明したが、読取装置として用いられた携帯電話２にグラフデータを表示させるように構成してもよい。この場合、携帯電話２からのグラフ作成要求に応じてグラフを作成し、携帯電話２に送信するように構成してもいいし、サーバ３側で自動的にグラフを作成し、定期的に携帯電話２に送信するように構成してもよい。
【００３８】
さらに、第１及び第２の実施形態では、読取装置として携帯電話を用いた場合を例に説明したが、読取装置はバーコードを認識できるものであればよく、例えばバーコードリーダーなどであってもよい。また、第１及び第２の実施形態では、二次元コードであるＱＲコード（登録商標）を例に説明したが、一次元バーコードであってもよい。
【００３９】
さらに、第１及び第２の実施形態では、それぞれ１名の使用者又は測定者の場合を例に説明したが、複数名であってもよい。この場合、各人がそれぞれ別の携帯電話を用いることで、使用者又は測定者を特定することができるので、使用者又は測定者が複数名であっても、運動データや身体データを一元的に管理することができる。
【００４０】
また、第１及び第２の実施形態では、他動運動機器１の生の運動データ又は身体測定装置４の生の身体データを用いてＱＲコード（登録商標）に変換した場合を例に説明したが、加工した運動データ又は身体データを用いてＱＲコード（登録商標）に変換してもよい。
【図面の簡単な説明】
【００４１】
【図１】第１の実施形態の他動運動機器の構成を示すブロック図である。
【図２】同上の斜視図である。
【図３】同上を用いたネットワークシステムの読取装置の構成を示すブロック図である。
【図４】同上を用いたネットワークシステムのサーバの構成を示すブロック図である。
【図５】同上を用いたネットワークシステムのシステム概略図である。
【図６】第２の実施形態の身体測定装置の構成を示すブロック図である。
【図７】同上の斜視図である。
【符号の説明】
【００４２】
１  他動運動機器
２  携帯電話（読取装置）
３  サーバ
７  インターネット（ネットワーク）
１１  運動データ記憶部
１２  表示部
１３  運動データ出力部
１４  コード変換部
【図１】
2009112526.tif 000003
【図２】
2009112526.tif 000004
【図３】
2009112526.tif 000005
【図４】
2009112526.tif 000006
【図５】
2009112526.tif 000007
【図６】
2009112526.tif 000008
【図７】
2009112526.tif 000009